(57)【特許請求の範囲】
【請求項１】
理美容椅子等の椅子における座部の昇降量、背凭れや前垂れの起伏量を監視する監視手段と、該各監視手段よりの出力で異常箇所の有無を監視する制御回路（ＣＰＵ）と、該制御回路が異常を検出した時に該異常箇所に応じた出力を送出する自己診断手段と、該自己診断手段よりの出力毎に異なる音を送出する音源手段とから構成し、
前記座部の昇降量、背凭れや前垂れの起伏量に異常が生じた部位を検出する前記監視手段から出力によって、前記音源手段はそれぞれ異なる音を発生するようにして、何れの部位に異常が発生したかを知ることができるようにしたことを特徴とする理美容椅子等の椅子の状態検知装置。
【請求項２】
前記異なる周波数の音を発生する手段が、可聴範囲内の周波数を発振する発振回路と、該発振回路よりの周波数を分周する分周回路とで構成したことを特徴とする請求項１記載の理美容椅子等の椅子の状態報知装置。
【請求項３】
前記異なる周波数の音を発生する手段が、音源ボードであることを特徴とする請求項１記載の理美容椅子等の椅子の状態報知装置。
【発明の詳細な説明】
【０００１】
【発明の属する技術分野】
本発明は理美容椅子や歯科椅子等の椅子の状態を変化させる、すなわち、座部の上下、背凭れの起伏、前垂れの起伏およびプリセット状態への移行やリターン操作を行うためのスイッチを操作した時に、どのスイッチが操作されたかを異なる周波数の音によって報知するようにした理美容椅子等の椅子の状態報知装置に関する。
【０００２】
【従来の技術】
従来、前記したような理美容椅子や歯科用椅子の状態を変化させるための操作スイッチを押下した時に、該スイッチの操作を行ったことを報知するためにブザー等を発生させたものがあった。このブザー音によりスイッチを操作したことの確認が行えるという利点があった。
【０００３】
すなわち、図４ａに示す理容用椅子１にあっては、肘掛け１ａの側面に座部１ｂの昇降、背凭れ１ｃの起伏および前垂れ１ｄの起伏を行うためのスイッチからなる第１のスイッチ群Ｓ１と、理容師の身長等に合わせてセット可能な２つのプリセット位置に移行させるためのプリセットスイッチと、該プリセットした状態および前記第１のスイッチ群Ｓ１を操作して座部１ｂを上昇させ、背凭れ１ｃおよび前垂れ１ｄを伏倒させた状態から初期の位置に戻すためのオートリターンスイッチからなる第２のスイッチ群Ｓ２が設けられている（図４ｂ）。
【０００４】
また、理容用椅子１の基盤１ｅの裏面側には、図４ｃに示す如く座部１ｂの昇降を行うためのフートスイッチＳ３と、座部１ｂの回転ロックおよび解除を行うためのフートスイッチＳ４とが設けられている。
【０００５】
【発明が解決しようとする課題】
ところで、前記した従来の理容用椅子にあっては、椅子の状態変化を行わせるためのスイッチ、特に、スイッチ群Ｓ１，Ｓ２の各スイッチが近接されて配置されているために、座部の昇降を行わせようとして背凭れや前垂れを起伏させるといった誤操作があり、被施術者を驚かせたりした。
【０００６】
本発明は前記した問題点を解決せんとするもので、その目的とするところは、各種のスイッチの操作を行った場合や自己診断において不具合個所を報知するのに、異なる周波数の音で知らせるようにしたので、誤操作や不具合個所を容易かつ確実に知ることができる理美容椅子等の椅子の状態報知装置を提供せんとするにある。
【０００７】
【課題を解決するための手段】
本発明の理美容椅子等の椅子の状態検知装置は前記した目的を達成せんとするもので、請求項１の手段は、理美容椅子等の椅子における座部の昇降量、背凭れや前垂れの起伏量を監視する監視手段と、該各監視手段よりの出力で異常箇所の有無を監視する制御回路（ＣＰＵ）と、該制御回路が異常を検出した時に該異常箇所に応じた出力を送出する自己診断手段と、該自己診断手段よりの出力毎に異なる音を送出する音源手段とから構成し、前記座部の昇降量、背凭れや前垂れの起伏量に異常が生じた部位を検出する前記監視手段から出力によって、前記音源手段はそれぞれ異なる音を発生するようにして、何れの部位に異常が発生したかを知ることができるようにしたことを特徴とする。
【０００８】
また、前記異なる周波数の音を発生する手段が、可聴範囲内の周波数を発振する発振回路と、該発振回路よりの周波数を分周する分周回路とで構成したことを特徴とする。
【０００９】
さらに、前記異なる周波数の音を発生する手段が、音源ボードであることを特徴とする。
【００１０】
【発明の実施の形態】
以下、本発明に係る理美容椅子等の椅子の状態報知装置の実施の形態を図面と共に説明する。
図１は本発明のブロック図を示し、Ｓ１ａ〜Ｓ１ｃは前記第１のスイッチ群Ｓ１における座部１ｂを昇降させるため、および、背凭れ１ｃおよび前垂れ１ｄを伏倒させるためのスイッチであり、また、Ｓ２ａ，Ｓ２ｂは前記第２のスイッチ群Ｓ２における２つのプリセットスイッチとオートリターンスイッチである。
【００１１】
２は前記した各スイッチＳ１ａ〜Ｓ１ｃおよびＳ２ａ，Ｓ２ｂが操作された状態において図２、図３に示すフローチャートの動作を行うＣＰＵ、３は例えば１０ＫHzの周波数の信号を発振する発振回路、４は前記ＣＰＵよりの指令によって前記発振回路３よりの信号を分周する分周回路にして、前記発振回路３と分周回路４とによって音源手段を構成している。５は前記分周回路４により分周された周波数の信号によって音声を発音する圧電サウンダーやスピーカ等の放音手段である。なお、６は分周回路４よりの信号を増幅する増幅回路である。
【００１２】
次に、各スイッチのオン・オフ操作を行った場合の動作を図２のフローチャートと共に説明する。
このフローチャートは前記したスイッチＳ１ａ〜Ｓ１ｃ，Ｓ２ａ，Ｓ２ｂの何れかを操作した場合であって、例えば、スイッチＳ１ａを操作して座部１ｂを上昇させる操作を行うと、ＣＰＵ２はスイッチＳ１ａの切り換えを監視し（ステップＳ１）、次いで、スイッチＳ１ａがオンかオフの何れかを監視し（ステップＳ２）、該スイッチＳ１ａでオンされたと判断すると、例えば、発振回路３よりの信号を分周回路３によって分周比５で分周（ステップＳ３）して２ＫHzの高い音を増幅回路６で増幅して放音手段５より放音して報知する（ステップＳ４）。
【００１３】
また、前記ステップＳ２においてスイッチＳ１ａでオフされたと判断すると、例えば、発振回路３よりの信号を分周回路３によって分周比１０で分周（ステップＳ５）して１ＫHzの低い音を増幅回路６で増幅して放音手段５より放音して報知する（ステップＳ６）。
【００１４】
このように、各スイッチＳ１ａ〜Ｓ１ｃ，Ｓ２ａ，Ｓ２ｂの何れかを操作することにより、放音手段５からオン・オフ異なる周波数の音で放音する。この場合、各スイッチ毎に分周回路３による分周比を異ならしめすることにより、各スイッチのオン・オフの周波数が異なることとなるので、理容師等の被施術者はどのスイッチを操作した（オン・オフ操作を含めて）かを確実、かつ、容易に判断することができる。
【００１５】
次に、自動診断機能、すなわち、座部１ｂの昇降を行う油圧装置や背凭れ１ｃや前垂れ１ｄの起伏を行う油圧装置、あるいは、座部１ｂの昇降量および背凭れ１ｃや前垂れ１ｄの起伏量を監視する手段（ポテンショメータ等）が前記昇降量や起伏量の異常を検出した場合に警報を発する場合について説明する。
【００１６】
前記図１において、７は前記した油圧装置等の駆動源の異常や、座部１ｂの昇降量および背凭れ１ｃや前垂れ１ｄの起伏量を監視する手段が異常を検出した時に出力を送出する自己診断手段、８は音譜に対する音（ノート・note) を送出  する音源ボード等の音源手段である。
【００１７】
次に、動作の説明を図３のフローチャートと共に説明する。
先ず、ＣＰＵ２は各個所の故障が発生したか否かを常時監視する（ステップＳ１１）。そして、前記した監視において、例えば、座部１ｂの昇降（Ａ）に異常が発生し故障したと判断すると（ステップＳ１２）、前記ＣＰＵ２は分周回路に対して「ド」の音を発生するような周波数となる分周比を設定して、発振回路４よりの周波数を分周して放音手段５より「ド」の音を放音する（ステップＳ１３）。
【００１８】
また、ＣＰＵ２は、例えば、背凭れ１ｃの起伏角度（Ｂ）に異常が発生し故障したと判断すると（ステップＳ１４）、前記ＣＰＵ２は分周回路に対して「ド、レ」の音を発生するような周波数となる分周比を設定して、発振回路４よりの周波数を分周して放音手段５より「ド、レ」の音を放音する（ステップＳ１５）。
【００１９】
以下、同様にして、各部分に故障個所が発生すると「ド、レ、ミ」〜「ド、レ、ミ、ファ、ソ」等の故障個所に対応して異なるノートが増加するようにし、これにより、ノートの数によって直ちに故障個所が判って対処することが可能となる。
【００２０】
なお、前記音源ボード８を使用することにより、音声による故障個所を知らせるようにしてもよく、また、前記したスイッチ群Ｓ１，Ｓ２のオン・オフ時には発振回路３と分周回路４とによる音を放音する場合について説明したが、自己診断機能の場合と同様に音源ボード８によって放音するようにしてもよい。
【００２１】
【発明の効果】
本発明は前記したように、理美容椅子等の椅子に設置されたスイッチの操作状態、自己診断結果および動作状態を全て異なる周波数の音で報知するようにしたので、該異なる音を理美容師等の施術者が聞くことにより、例えば、意図する操作と異なる操作をした、すなわち、誤操作を行ったことを直ちに確認でき、また、自己診断機能によって故障等があった場合に、どの部分が故障したかも判るので、故障個所を直ちに修理することができるものである。
【００２２】
また、音源手段を発振回路と分周回路との組み合わせによって異なる音を放音するようにすることで、コストの低減を図ることができ、あるいは、音源ボードを使用することにより、ノート音や音声によって誤操作や故障個所を知ることができる等の効果を有するものである。
【図面の簡単な説明】
【図１】本発明に係る理美容椅子等の椅子の状態報知装置のブロック図である。
【図２】スイッチ群を操作した場合のフローチャートである。
【図３】自動検診機能のフローチャートである。
【図４】  (a) は理容用椅子の斜視図、(b) は(a) の椅子におけるスイッチ群を示す正  面図、(c) は(a) の背面側のフートスイッチの平面図である。
【符号の説明】
１          理美容椅子
１ｂ        座部
１ｃ        背凭れ
１ｄ        前垂れ
Ｓ１，Ｓ２  スイッチ群
Ｓ３，Ｓ４  フートスイッチ
２          ＣＰＵ
３          発振回路
４          分周回路
５          放音手段
６          増幅回路
７          自己診断手段
８          音源ボード
【図１】
0003679662.tif 000002
【図２】
0003679662.tif 000003
【図３】
0003679662.tif 000004
【図４】
0003679662.tif 000005